(57)【要約】本発明は、俎に関するものであって、本発明に係る俎は、俎と、上記俎の底面の一部または全体にコーティングされる下塗剤層と、上記下塗剤層の底面に、上記下塗剤層がコーティングされる部分と対応するように塗布される感圧接着剤層を含んで再接着可能に形成された粘着俎であって、俎が底に固定されて調理作業を円滑に遂行することができ、使用しない場合には容易に脱着して受納することが可能になる。
2009522041.tif 000002
【特許請求の範囲】
【請求項１】
俎と、
前記俎の底面の一部または全体にコーティングされる下塗剤層と、
前記下塗剤層の底面に、前記下塗剤層がコーティングされる部分と対応するように塗布される感圧接着剤層と、を含んで、再接着可能に形成されたことを特徴とする粘着俎。
【請求項２】
前記俎の底面の感圧接着剤層と対応するサイズで形成され、シリコン樹脂がコーティングされた一面が前記感圧接着剤層に対向するように付着される覆い紙（剥離紙）をさらに具備して、前記感圧接着剤層が保護できるように形成されたことを特徴とする請求項１に記載の粘着俎。
【請求項３】
前記俎は、厚みが５ｍｍ以下に形成されることを特徴とする請求項１または２に記載の粘着俎。
【発明の詳細な説明】
【技術分野】
【０００１】
本発明は俎に関し、より詳しくは、俎の底面に着脱可能な接着剤が塗布されているので、その粘着力により底と固定されて安定に作業を遂行できるように形成され、俎の厚みを薄く形成して移動と収納が便利であるように発明された機能性俎に関する。
【背景技術】
【０００２】
多くの家庭と飲食店では、食物を調理する時、図１に示すような一般的な俎１を使用しており、その材質としては、ポリエチレン、ポリプロピレン、あるいは木材質で構成される。しかしながら、このような既存の俎は食材料を切断する時、俎が底に完全に固定されていなくて俎１が揺れることになって、食材料の切断などがスムースに遂行され難くなる。
【０００３】
このような現象を解消するために、既存の俎は厚みを厚くして重さを増加させて俎が揺れることを防止したり、俎の下側面に滑り防止剤を付着して俎が揺れることを防止するようになる。
【０００４】
ところが、このように俎の厚みを増加させたり、滑り防止剤を付着させれば、俎の全体的なサイズや重さが大きくなる。したがって、俎の保管が容易でなく、製造コストが高まり、運搬が難しい。
【発明の開示】
【発明が解決しようとする課題】
【０００５】
本発明は、前述した問題点に鑑みなされたもので、本発明の目的は、俎のサイズと体積を最小化し、かつ食材料を切断する時、俎が揺れることを防止することにある。
【課題を解決するための手段】
【０００６】
上記の目的を達成するための本発明に係る機能性俎は、俎と、上記俎の底面の一部または全体にコーティングされる下塗剤層と、上記下塗剤層の底面に、上記下塗剤層がコーティングされる部分と対応するように塗布される感圧接着剤層を含んで再接着可能に形成されている。
【０００７】
この際、上記俎の底面の感圧接着剤が塗布された粘着面と対応するサイズで形成され、シリコン樹脂がコーティングされた一面が上記感圧接着剤層に対向するように付着される覆い紙（剥離紙）をさらに具備して、上記感圧接着剤層が保護できるように形成されることが好ましくて、また、上記俎は厚みが５ｍｍ以下に形成されて、運搬、取り扱い、収納が容易であるようにすることができる。
【発明の効果】
【０００８】
本発明によると、第１に、俎の全体的な体積とサイズを縮めることができるので、運搬及び保管が容易である。
【０００９】
第２に、食材料を切断する時、俎が底に完全に固定されて俎が揺れることにより発生できる事故を予防して、使用者が安全に食材料を切断できるようになる。
【００１０】
第３に、俎を使用した後、捨てる時にもよく取れ、俎が底に付いていた痕跡が残らないので、便利で、かつ清潔に使用することができる。
【発明を実施するための最良の形態】
【００１１】
以下、本発明を添付図面により詳細に説明すると、次の通りである。以下、添付された図面を参照しつつ本発明の好ましい実施形態を説明する。しかしながら、本発明は、以下に開示される実施形態に限りではなく、互いに異なる多様な形態で具現されることができ、単に、本実施形態は、本発明の開示が完全であるようにし、通常の知識を有する者に発明の範疇を完全に知らせるために提供されるものである。
【００１２】
一般に、再接着メモ紙、例えば‘ポスト−イット’類のメモ紙に使われる再接着可能な接着剤は、一定の成分の感圧接着剤だけでも再接着の目的が達成されるが、より良い効率のために、下塗剤が使われる点を考慮して、本発明では感圧接着剤と下塗剤を含む。
【００１３】
図２は、俎の下側面に下塗剤と感圧接着剤を塗布した俎と覆い紙の構成図であって、俎１は、ポリエチレン、ポリプロピレンなどの合成樹脂材料、あるいは木材質で構成される。但し、移動と保管が容易でなければならないので、厚みが５ｍｍ以下の俎が適当であり、上記のような厚みで形成される場合には、堅固性のために木材質よりは合成樹脂材質で形成されることが好ましい。
【００１４】
また、以下において、覆い紙４は剥離紙を意味し、覆い紙４は俎の出庫時に粘着面を保護するために俎の底面の粘着面に対応するように付着されている。
【００１５】
前述したように発明された俎は、下塗剤層２及び感圧接着剤層３を含み、それらは俎１の底面を覆い、そのため前記俎は、再接着可能である。上記下塗剤層と感圧接着剤層の厚みは、本発明において俎の固定力を確保できる程度に形成されればよいところ、外観上の区別が容易でない程度の厚みで形成されることができる。
【００１６】
俎１の底面に塗布される下塗剤層２の感圧粘着剤層３は、底面に全体的に塗布されることが好ましいが、コスト低減と使用上の便宜のために、俎１の底面の一部のみに塗布されていることができるところ、この場合、本発明に係る俎が底面に十分に固定できるように、四角俎の場合、俎の底面の各隅部分や俎の底面の縁に沿って一定幅を有するように上記下塗剤と感圧粘着剤が塗布されるようにすることが良い。
【００１７】
下塗剤は、感圧粘着剤が俎１に堅く接着して俎１から感圧粘着剤が被着剤に転移される現象を防止する役目をする。本発明に係る粘着俎は、下塗剤を俎の下側面にコーティングして下塗剤層２を形成させ、また上記下塗剤層に感圧接着剤をコーティングして感圧接着剤層３を形成して完成させる。下塗剤層２に使われる下塗剤としては、アクリル樹脂、ウレタン樹脂、ビニール樹脂など、フィルムで形成可能な高分子樹脂が利用されるが、場合によって、チタニウムオキサイド、マグネシウムオキサイド、亜鉛華（酸化亜鉛）、硫酸バリウム、炭酸カルシウム、クレー、ゼオライト、アルミナ、シリカなどの無機物を混合することもできる。但し、本発明において、下塗剤の成分を特別に限定するのではない。
【００１８】
また、本俎の感圧接着剤層３に使われる感圧接着剤は、位置変更可能であるという目的に応ずるために、付着と脱着が反復的に行なわれても接着性能の変化が大きくない特徴を有しなければならない。本俎に使われる感圧粘着剤は、再接着メモ紙（例えば、３Ｍ社で市場に発表した商標名：ポスト−イットメモ紙）に主に使われる感圧接着剤であれば可能である。
【００１９】
したがって、本俎の感圧接着剤層３に使われる感圧接着剤の材質としては、天然及び合成ゴムと粘着付与剤の混合物、アクリル樹脂など、一般的に感圧接着剤として使用する材質であれば可能であるが、製造上、アクリル樹脂が最も適当である。アクリル樹脂は、エマルジョン重合、溶液重合、懸濁重合等で合成される感圧粘着剤が利用されるが、粘着俎の特性上、低い接着力と反復的な使用の面において、球形状で作られる懸濁重合物が適当であり、必要によって、エマルジョン重合物、あるいは溶液重合物を混合して使用する。但し、本発明において、感圧接着剤は再接着可能に形成されたものであって、その成分を特別に限定するのではない。
【００２０】
図３に示すように、本発明に係る粘着俎は、俎１の底面に塗布された感圧粘着剤がコーティングされた面にシリコン樹脂がコーティングされた覆い紙４（剥離紙）の一面がさらに付着されて、粘着俎の粘着面が保護できるようにすることが好ましい。図面(図３）では、俎１から覆い紙４を分離した後、底に俎を付着した後、使用できるようになった状態図である。
【００２１】
図４は、覆い紙４を俎１から除去した後、俎を底に付着した状態図である。食材料を切断するために俎１を使用する時は、覆い紙４を除去した後、感圧接着剤が塗布された面を底に貼り付けて置いた後、食材料を俎１の上に置いて切断することができる。
【００２２】
上記俎の底面の感圧接着剤がコーティングされた粘着面を保護するために、前述したように、感圧接着剤がコーティングされた粘着面と対応するサイズで形成された覆い紙４がさらに俎１に付着されることが好ましい。
【００２３】
俎の粘着面と接触する覆い紙４の一面にシリコン樹脂がコーティングされる。
【００２４】
覆い紙４の一面にコーティングされるシリコン樹脂は、俎の粘着面を完全に保護できるようにするために、覆い紙４の一面に全体的にコーティングされることが好ましい。
【００２５】
シリコンがコーティングされた覆い紙４の面が俎の底面の感圧接着剤３が塗布された粘着面と対向するように接触させると、俎の粘着面が保護されるが、覆い紙４は俎の使用前まで粘着面を保護するものであり、一旦覆い紙４を分離すると、覆い紙４は俎への持続的な反復着脱が可能になる。
【００２６】
以上、前述した機能性俎は、好ましい実施形態に該当し、本発明は前述した特定の好ましい実施形態に限定されず、請求範囲で請求する本発明の要旨を逸脱することなく、当該発明が属する技術分野で通常の知識を有する者であれば誰でも多様な変形実施が可能であることが勿論であり、そのような変更は請求範囲の記載の範囲内にあるようになる。
【図面の簡単な説明】
【００２７】
【図１】一般的な俎の構造図である。
【図２】俎の下側面に下塗剤と感圧粘着剤を塗布した俎と覆い紙の構造図である。
【図３】俎から覆い紙を分離した後、底に俎を付着した後、使用できるようになった状態図である。
【図４】覆い紙を除去した後、俎を底に付着した状態図である。
【符号の説明】
【００２８】
１    俎
２    下塗剤
３    感圧粘着剤
４    覆い紙（剥離紙）
【図１】
2009522041.tif 000003
【図２】
2009522041.tif 000004
【図３】
2009522041.tif 000005
【図４】
2009522041.tif 000006
【国際調査報告】
2009522041.tif 000007
2009522041.tif 000008